(57)【要約】【課題】定期券等の乗車媒体が本人により使用されていることを容易に確認できる自動改札システムを提供する。【解決手段】通行者の所持する乗車媒体から乗車券情報を読み取り、読み取った乗車券情報に基づき通行を許可または禁止する自動改札機１と、自動改札機１の通路Ｇ１，Ｇ２を通行する通行者を撮像するカメラ２とを備える。自動改札機１が通行者の通行を許可すると判定したとき、カメラ２で撮像した通行者の画像を、当該通行者の通行情報とともに、あらかじめ登録された通知先に電子メールで送信する。【選択図】図１
2008123392.tif 000002
【特許請求の範囲】
【請求項１】
自動改札機を通行する通行者を撮像する撮像手段と、
前記通行者の所持する乗車媒体から乗車券情報を読み取る読取手段と、
前記読取手段が読み取った乗車券情報に基づき、通行者の通行を許可するか否かを判定する通行可否判定手段と、
前記乗車券情報に対応付けて、通行者の通行情報を通知するための通知先を記憶する記憶手段と、
前記通行可否判定手段が通行者の通行を許可すると判定したとき、前記撮像手段が撮像した通行者の画像を、当該通行者の通行情報とともに、前記記憶手段に記憶された通知先に送信する送信手段と、
を備えたことを特徴とする自動改札システム。
【請求項２】
請求項１に記載の自動改札システムにおいて、
前記通行者に同伴者がいるか否かを判定する同伴者判定手段を更に備え、
前記同伴者判定手段により同伴者がいると判定されたときに、前記送信手段は、通行者の画像および通行情報に加えて、当該同伴者の画像を送信することを特徴とする自動改札システム。
【請求項３】
請求項２に記載の自動改札システムにおいて、
前記同伴者判定手段は、同時刻に同一の乗車駅の自動改札機から入場し、かつ、同時刻に同一の降車駅の自動改札機から出場する者を同伴者と判定することを特徴とする自動改札システム。
【請求項４】
請求項３に記載の自動改札システムにおいて、
前記同伴者判定手段は、通行者が入場した自動改札機と同一または隣接する自動改札機から入場し、かつ、通行者が出場した自動改札機と同一または隣接する自動改札機から出場した者を同伴者と判定することを特徴とする自動改札システム。
【請求項５】
請求項２に記載の自動改札システムにおいて、
前記通行者の乗降パターンが、当該通行者の乗降履歴に基づいて予め設定された通常の乗降パターンと一致するか否かを判定する乗降パターン判定手段を更に備え、
前記送信手段は、前記乗降パターン判定手段により、前記通行者の今回の乗降パターンが通常の乗降パターンと相違すると判定されたときに、前記同伴者の画像を送信することを特徴とする自動改札システム。
【発明の詳細な説明】
【技術分野】
【０００１】
本発明は、自動改札機の通行情報を電子メール等で通知するサービスを行う自動改札システムに関するものである。
【背景技術】
【０００２】
近年、自動改札システムにおいては、ユーザに対して様々なサービスを提供する試みがなされている。例えば、下記の特許文献１には、定期券を使用している子供が、正しいルートで駅の自動改札機を利用して移動しているかどうかを、親が自宅に居ながらにして確認できるシステムが記載されている。本システムでは、発行した定期券のＩＤ番号に対応付けて、定期券情報と個人情報を交通機関センタのデータベースに登録しておき、定期券が自動改札機に通されると、読み取ったＩＤ番号に基づきデータベースに登録されている個人情報を参照して、利用者の自宅に電話や電子メールによって駅名と通過の情報が通知されるようになっている。これにより、例えば子供の通学に伴う駅通過の確認を、親が自宅で容易に行うことができる。
【０００３】
【特許文献１】特開２００２−１９７４９５号公報
【発明の開示】
【発明が解決しようとする課題】
【０００４】
しかしながら、上記特許文献１のシステムでは、定期券を他人に貸したり、紛失により定期券が他人に渡ったりした場合に、当該他人がその定期券を使用しても、通行情報の通知を受ける側では、そのことを知ることができないという問題がある。
【０００５】
また、子供が正しくないルートで自動改札機を利用した場合でも、親しい友人等と一緒であれば親は安心できるし、逆に、正しいルートで自動改札機を利用した場合でも、知らない人と一緒であれば親は安心できないのが実情であるが、従来の自動改札システムでは、このようなケースを想定したきめ細かいサービスを提供できていなかった。
【０００６】
本発明は、上述した課題に鑑み、定期券等の乗車媒体が本人により使用されていることを容易に確認できる自動改札システムを提供することを目的としている。
【０００７】
また、本発明の他の目的は、本人に同伴する同伴者が誰であるのかを容易に確認できる自動改札システムを提供することにある。
【課題を解決するための手段】
【０００８】
本発明に係る自動改札システムは、自動改札機を通行する通行者を撮像する撮像手段と、通行者の所持する乗車媒体から乗車券情報を読み取る読取手段と、この読取手段が読み取った乗車券情報に基づき、通行者の通行を許可するか否かを判定する通行可否判定手段と、乗車券情報に対応付けて、通行者の通行情報を通知するための通知先を記憶する記憶手段と、通行可否判定手段が通行者の通行を許可すると判定したとき、撮像手段が撮像した通行者の画像を、当該通行者の通行情報とともに、記憶手段に記憶された通知先に送信する送信手段とを備える。
【０００９】
本発明においては、通行者が自動改札機を通行する際に、撮像手段によって通行者を撮像し、撮像した画像を通行情報とともに通知先に送信するようにしている。このため、通行情報を受け取った側では、画像をみることで自動改札機を通行したのが本人か否かを容易に確認することができ、本人でない場合は、乗車媒体が他人によって使用されたことを知ることができる。
【００１０】
本発明では、通行者に同伴者がいるか否かを判定する同伴者判定手段を設け、この同伴者判定手段により同伴者がいると判定されたときに、送信手段が、通行者の画像および通行情報に加えて、当該同伴者の画像を送信するようにしてもよい。
【００１１】
このようにすれば、通行者の画像とともに同伴者の画像も送信されるので、本人に同伴する同伴者が誰であるのかを容易に確認することができる。
【００１２】
この場合、同伴者判定手段は、同時刻に同一の乗車駅の自動改札機から入場し、かつ、同時刻に同一の降車駅の自動改札機から出場する者を同伴者と判定するようにすればよい。また、同伴者は、本人が通行した改札機の通路と同じ通路か隣の通路を通行するのが普通であるから、通行者が入場した自動改札機と同一または隣接する自動改札機から入場し、かつ、通行者が出場した自動改札機と同一または隣接する自動改札機から出場した者を同伴者と判定することで、同伴者の判定精度を向上させることができる。
【００１３】
本発明では、通行者の乗降パターンが、当該通行者の乗降履歴に基づいて予め設定された通常の乗降パターンと一致するか否かを判定する乗降パターン判定手段を設け、この乗降パターン判定手段により、通行者の今回の乗降パターンが通常の乗降パターンと相違すると判定されたときに、送信手段が同伴者の画像を送信するようにしてもよい。
【００１４】
このようにすれば、通行者の乗降パターンが通常の乗降パターンと同じ場合は、同伴者の画像は送信されず、通行者の乗降パターンが通常の乗降パターンと異なる場合に、同伴者の画像が送信される。したがって、通行者が途中下車や乗り越しをするなど、普段と異なる行動をしたときに限り同伴者が誰であるのかを確認したい、という要求に応えることができる。
【発明の効果】
【００１５】
本発明によれば、自動改札機を通行する通行者の画像を通行情報とともに通知先に送信するようにしたので、自動改札機を通行したのが本人か否かを容易に確認することができ、本人でない場合は、乗車媒体が他人によって使用されたことを知ることができる。
【００１６】
また、同伴者の有無を判定し、同伴者がいると判定された場合に当該同伴者の画像も送信することで、同伴者が誰であるのかを容易に確認することができる。
【発明を実施するための最良の形態】
【００１７】
以下、本発明の実施形態を図面に基づいて説明する。図１は、本発明の実施形態による自動改札システムで用いられる自動改札機１とカメラ２の外観図である。自動改札機１は、駅の改集札口に設置された複数台の自動改札機１ａ，１ｂ，１ｃ，…から構成される。Ｇ１は自動改札機１ａ，１ｂにより形成される通路、Ｇ２は自動改札機１ｂ，１ｃにより形成される通路である。Ｘは、通路Ｇ１，Ｇ２を通行する通行者の通行方向を表している。カメラ２は、天井等に設置された複数台のカメラ２１，２２，…から構成され、カメラ２１は通路Ｇ１をＸ方向に通行する通行者を斜め上方から撮影し、カメラ２２は通路Ｇ２をＸ方向に通行する通行者を斜め上方から撮影するように、撮像範囲が設定されている。Ｘ方向が入場方向である場合は、カメラ２は、自動改札機１から入場する通行者を撮像し、Ｘ方向が出場方向である場合は、カメラ２は自動改札機１から出場する通行者を撮像することになる。
【００１８】
図２は、自動改札システムの全体構成図である。Ａ駅，Ｂ駅，Ｃ駅，…の各駅には、上述した自動改札機１が設置されているとともに、駅サーバ３が設置されている。自動改札機１と駅サーバ３とはケーブル等で接続されている。４は電鉄会社の管理センタ等に設置された電鉄サーバであって、各駅の駅サーバ３と通信回線で接続されている。５は電鉄サーバ４と通信回線で接続されたインターネット、６はインターネット５を介して電鉄サーバ４から必要な情報を受信する携帯電話機である。
【００１９】
図３は、自動改札機１の電気的構成を示したブロック図である。１０は、自動改札機１で用いられる乗車媒体としての定期券であって、ここでは無線通信機能を備えた非接触ＩＣカードから構成される。１１は、自動改札機１の動作を制御する制御部であって、ＣＰＵやメモリ等から構成される。１２は、定期券１０との間で通信を行う無線通信部であって、アンテナや送受信回路等から構成される。１３は、自動改札機１を通過する通行者を検知する通行者検知部であって、通路に設けられた複数の光センサ等から構成される。１４は、通路の入口や出口に設けられた扉（図示省略）の開閉を行う扉開閉部であって、扉開閉用のモータやその駆動回路等から構成される。１５は、駅サーバ３（図２）との間でデータの授受を行う入出力部である。２は通行者を撮像する前述のカメラである。
【００２０】
図４は、電鉄サーバ４の電気的構成を示したブロック図である。４１は、電鉄サーバ４の動作を制御する制御部であって、ＣＰＵやメモリ等から構成される。４２は、駅サーバ３やインターネット５との間で通信を行う通信部である。４３は、インターネット５を介して携帯電話機６へ電子メールを送信する電子メール送信部である。４４は定期券情報を記憶した定期券情報記憶部、４５は定期券の利用履歴を記憶した利用履歴記憶部である。
【００２１】
定期券情報記憶部４４には、図５で示すような、定期券ＩＤ、定期券区間、有効期間、利用者名、通知サービス利用有無、通知アドレスなどの定期券情報が記憶されている。定期券ＩＤは各定期券に固有の識別番号、定期券区間は定期券の有効な乗車区間（発駅と着駅）、有効期間は定期券を利用できる期間（開始年月日と月数）、利用者名は定期券を利用する本人の氏名である。通知サービスは、通行者の通行情報を通知するサービスであって、詳細は後述する。通知アドレスは、通行情報の通知先である携帯電話機６（図２）の電子メールアドレスである。以上の定期券情報のうち、定期券ＩＤ、定期券区間、有効期間および利用者名は、駅に設置された図示しない定期券発行機で定期券１０を発行した際に、乗車券情報として定期券１０に記録されるとともに、定期券発行機から駅サーバ３を介して電鉄サーバ４に送信され、定期券情報記憶部４４に記憶される。また、通知サービス利用有無と通知アドレスは、駅の窓口での利用者の申請に基づき、図示しない係員端末から駅サーバ３を介して電鉄サーバ４に送信され、定期券情報記憶部４４の該当する定期券ＩＤの領域に記憶される。なお、定期券発行機に通知サービス利用有無や通知アドレスを入力する機能を持たせ、図５の全ての定期券情報を同時に電鉄サーバ４へ送信するようにしてもよい。
【００２２】
利用履歴記憶部４５には、図６で示すような、定期券ＩＤ、駅・号機、入場／出場の区別、入出場日時、画像などの利用履歴が記憶されている。定期券ＩＤは、図５と同じものである。駅・号機には、定期券１０が使用された駅の駅名コードおよび自動改札機１の号機番号が記録される。入場／出場の区別には、定期券１０が自動改札機１の改札用アンテナで読み取られた場合は入場が記録され、定期券１０が自動改札機１の集札用アンテナで読み取られた場合は出場が記録される。入出場日時には、定期券１０が自動改札機１にかざされた年月日と時分が記録される。画像には、入出場の都度カメラ２により撮像された、自動改札機１を通行する通行者の画像のデータが記録される。
【００２３】
以上において、カメラ２は本発明における撮像手段の一実施形態を構成する。また、自動改札機１の制御部１１は本発明における通行可否判定手段の一実施形態を構成し、無線通信部１２は本発明における読取手段の一実施形態を構成する。また、電鉄サーバ４の制御部４１は本発明における同伴者判定手段および乗降パターン判定手段の一実施形態を構成し、電子メール送信部４３は本発明における送信手段の一実施形態を構成し、定期券情報記憶部４４は本発明における記憶手段の一実施形態を構成する。
【００２４】
次に、本自動改札システムにおける通行情報通知サービスの概要について説明する。図１において、通行者が定期券１０を自動改札機１ｂのアンテナ部にかざして通行が許可され、通路Ｇ１をＸ方向に通行する場合、通行者が通路Ｇ１の所定位置に達したことが通行者検知部１３（図３）で検知されると、カメラ２１が撮像動作を開始して、通路Ｇ１を通行する通行者を撮像する。撮像された画像は、定期券１０から読み取った定期券ＩＤや、駅名コード、自動改札機１ｂの号機番号、入出場の別、入出場日時などの通行情報とともに、駅サーバ３を介して電鉄サーバ４に送信され、図６のように利用履歴記憶部４５に記録される。電鉄サーバ４では、駅サーバ３から受信した定期券ＩＤに基づいて、定期券情報記憶部４４に記憶されている定期券情報（図５）を参照し、当該定期券ＩＤに該当する利用者について通知サービスの利用有無をチェックする。そして、通知サービスを利用すると設定されている場合は、通知アドレスを読み出し、利用履歴記憶部４５に記録した情報に基づき作成した通行者の通行情報のメッセージを、当該通行者の画像とともに、通知アドレスに対応する携帯電話機６へ電子メールで送信する。
【００２５】
この結果、電子メールを受信した携帯電話機６においては、図７で示すように、画面６１に通行情報のメッセージ６２が表示される。（ａ）は通行者が乗車駅で自動改札機１から入場した場合の例、（ｂ）は通行者が降車駅で自動改札機１から出場した場合の例である。ここでは、通行情報として、駅名と入出場の別が通知されているが、これらに加えて、利用者の氏名や入出場時刻を合わせて通知するようにしてもよい。画面６１には、画像の閲覧を指定するボタン６３が表示されている。このボタン６３を選択すると、画面６１が切り換わって、図８に示すように、カメラ２で撮像した通行者の画像６４が表示される。したがって、この画像６４を見れば、通行者が定期券１０の利用者本人か否かを即座に知ることができる。こうして、本自動改札システムにおいては、通行者が自動改札機１を通行するたびに、通行情報が画像とともに携帯電話機６にリアルタイムに通知される。
【００２６】
図９および図１０は、通行情報通知サービスの詳細な手順を示したフローチャートである。図９は自動改札機１での処理手順を表し、図１０は電鉄サーバ４での処理手順を表している。
【００２７】
最初に、自動改札機１での処理手順を説明する。図９において、自動改札機１の無線通信部１２（図３）はポーリングを実行し（ステップＳ１）、定期券１０からの応答の有無をチェックする（ステップＳ２）。定期券１０が無線通信部１２のアンテナにかざされず、応答がない場合は（ステップＳ２：ＮＯ）、一定時間が経過するのを待って（ステップＳ３）、再びステップＳ１のポーリングを実行し、応答があるまで、ステップＳ１〜Ｓ３を反復する。定期券１０が無線通信部１２のアンテナにかざされて、応答があった場合は（ステップＳ２：ＹＥＳ）、ステップＳ４へ進んで、定期券１０から読み取った乗車券情報に基づき、通行の可否を判定する。
【００２８】
ステップＳ４において、定期券１０の有効期間が切れている等の理由により、通行を許可しないと判定した場合は（ステップＳ４：ＮＯ）、ステップＳ１０へ移行して、扉開閉部１４により自動改札機１の扉を閉じ、通行者の通行を禁止する。また、通行を許可すると判定した場合は（ステップＳ４：ＹＥＳ）、ステップＳ５へ進み、無線通信部１２により、定期券１０の乗車券情報を更新する。例えば、定期券１０に記録されている前回の入場駅や出場駅の書き換え等を行う。その後、ステップＳ６で扉開閉部１４により自動改札機１の扉を開き、通行者の通行を許可する。
【００２９】
ステップＳ７では、通行を許可された者が自動改札機１の通路の所定位置に到達したか否かを、通行者検知部１３のセンサの出力に基づいて判定する。そして、通行者が通路の所定位置に到達すると（ステップＳ７：ＹＥＳ）、カメラ２で通行者を撮像する（ステップＳ８）。その後、通行者の通行情報と、カメラ２で撮像した通行者の画像とを、駅サーバ３を経由して電鉄サーバ４へ送信する（ステップＳ９）。
【００３０】
次に、電鉄サーバ４での処理手順を説明する。図１０において、ステップＳ１１では、通行情報と画像とが通信部４２（図４）で受信されたか否かを監視する。通行情報と画像とが受信されると（ステップＳ１１：ＹＥＳ）、ステップＳ１２へ進んで、受信した通行情報と画像を、利用履歴記憶部４５に記憶する。続いて、定期券ＩＤに基づき定期券情報記憶部４４を参照して、通知サービスの利用有無をチェックする（ステップＳ１３）。通知サービスを利用しない場合は（ステップＳ１３：ＮＯ）、ステップＳ１４〜Ｓ１５を実行せずに処理を終了し、通知サービスを利用する場合は（ステップＳ１３：ＹＥＳ）、ステップＳ１４へ進んで、定期券情報記憶部４４から、該当する定期券ＩＤに対応する通知アドレスを抽出する。その後、ステップＳ１５へ進み、電子メール送信部４３が、利用履歴記憶部４５の内容に基づいて作成した通行情報のメッセージを、画像とともに通知アドレスへ電子メールで送信する。この結果、通知アドレスに対応する携帯電話機６には、通行情報のメッセージ６２（図７）や通行者の画像６４（図８）が表示される。
【００３１】
このようにして、上記実施形態によれば、通行者が自動改札機１を通行する際に、カメラ２によって通行者を撮像し、撮像した画像を通行情報とともに通知先の携帯電話機６に送信するようにしている。このため、通行情報を受け取った側では、通行者の画像６４をみることで、自動改札機１を通行したのが本人か否かを容易に確認することができ、本人でない場合は、定期券１０が他人によって使用されたことを知ることができる。
【００３２】
図１１は、本発明の他の実施形態による電鉄サーバ４での処理手順を表したフローチャートである。自動改札機１での処理手順は、図９と同じである。本実施形態では、同伴者の有無を判定し、同伴者がいる場合はその同伴者の画像を送信するようにしている。以下、詳細に説明する。
【００３３】
ステップＳ２１では、通行情報と画像とが通信部４２で受信されたか否かを監視する。通行情報と画像とが受信されると（ステップＳ２１：ＹＥＳ）、ステップＳ２２へ進んで、受信した通行情報と画像を、利用履歴記憶部４５に記憶する。続いて、定期券ＩＤに基づき定期券情報記憶部４４を参照して、通知サービスの利用有無をチェックする（ステップＳ２３）。通知サービスを利用しない場合は（ステップＳ２３：ＮＯ）、ステップＳ２４〜Ｓ３０を実行せずに処理を終了し、通知サービスを利用する場合は（ステップＳ２３：ＹＥＳ）、ステップＳ２４へ進んで、定期券情報記憶部４４から、該当する定期券ＩＤに対応する通知アドレスを抽出する。以上のステップＳ２１〜Ｓ２４の手順については、図１０のステップＳ１１〜Ｓ１４の手順と同じである。
【００３４】
その後、ステップＳ２５へ進み、電子メール送信部４３において、利用履歴記憶部４５の内容に基づいて作成した通行情報のメッセージと画像を、通知アドレスへ送信するための準備を行う。次に、ステップＳ２６へ進んで、通行者に同伴者がいるか否かの判定を行なう。この判定は、利用履歴記憶部４５に記憶されている情報（図６）に基づいて行う。判定方法としては、例えば、同時刻に同一の乗車駅の自動改札機から入場し、かつ、同時刻に同一の降車駅の自動改札機から出場する者を同伴者と判定することが考えられる。ここで、「同時刻」とは、完全に同一の時刻だけを指すのではなく、同一の時刻とみなせる範囲、例えば数秒程度の時間幅も包含する概念である。
【００３５】
ところで、上記のように入出場時刻と乗降駅の同一性だけで同伴者を判定すると、たまたま同じ条件を満たす他の通行者を同伴者と誤判定してしまう場合が起こりうる。そこで、同伴者の判定を精度良く行うために、次のような方法が考えられる。同伴者は、本人が通行した改札機の通路と同じ通路か隣の通路を通行するのが普通である。したがって、上記条件に加えて、通行者が入場した自動改札機と同一または隣接する自動改札機から入場し、かつ、通行者が出場した自動改札機と同一または隣接する自動改札機から出場した者を同伴者と判定するようにすれば、同伴者を絞り込むことができ、判定精度を向上させることができる。同一または隣接する自動改札機からの入出場か否かは、利用履歴記憶部４５に記憶されている号機番号に基づいて判断することができる。
【００３６】
判定の結果、同伴者がいない場合は（ステップＳ２７：ＮＯ）、ステップＳ２８〜Ｓ２９を実行することなくステップＳ３０へ進み、ステップＳ２５で準備した通行情報のメッセージと画像を、通知アドレスへ電子メールで送信する。この結果、通知アドレスに対応する携帯電話機６には、図７の通行情報のメッセージ６２や、図８の通行者の画像６４が表示される。なお、入場時には同伴者の有無が未確定なので、ステップＳ２７での判定はＮＯとなる。
【００３７】
一方、判定の結果、同伴者がいる場合は（ステップＳ２７：ＹＥＳ）、ステップＳ２８へ移行して、今回の乗降パターンが通常の乗降パターンか否かを判定する。この判定のために、本実施形態では、図１２に示すような通常の乗降パターン（以下、「通常パターン」という。）をあらかじめ記憶した乗降パターン記憶部（図示省略）が設けられる。この通常パターンは、利用履歴記憶部４５の情報に基づいて、定期券利用者ごとに設定される。すなわち、１日をいくつかの時間帯に分け、各利用者について、それぞれの時間帯において最も多い乗降パターン（乗車駅と降車駅）を、一定期間にわたる利用履歴の分析結果から抽出し、これを当該利用者の通常パターンとして図１２のように設定する。この通常パターンは、利用履歴記憶部４５に確保された所定領域に記憶するようにしてもよい。また、この通常パターンは、適当な周期で（例えば１ケ月ごとに）更新するのが好ましい。
【００３８】
ステップＳ２８では、今回の乗降パターンを、図１２における該当する時間帯のパターンと比較して、パターンの一致・不一致を判定する。判定の結果、両パターンが一致する場合、すなわち今回の乗降パターンが通常パターンである場合には（ステップＳ２８：ＹＥＳ）、ステップＳ２９を実行することなく、前述したステップＳ３０の処理を行う。すなわち、ステップＳ２５で準備した通行情報のメッセージと通行者の画像を、通知アドレスへ電子メールで送信する。
【００３９】
一方、両パターンが一致しない場合、すなわち今回の乗降パターンが通常パターンでない場合には（ステップＳ２８：ＮＯ）、ステップＳ２９へ進み、利用履歴記憶部４５から、ステップＳ２６で判定した同伴者の画像を抽出する。その後、ステップＳ３０へ進み、ステップＳ２５で準備した通行情報のメッセージと通行者の画像に、ステップＳ２９で抽出した同伴者の画像を追加して、通知アドレスへ電子メールで送信する。この結果、通知アドレスに対応する携帯電話機６には、図７（ｂ）の通行情報のメッセージ６２が表示されるとともに、図７（ｂ）の画面６１において画像閲覧のボタン６３が選択されると、図１３に示すように、通行者の画像６４ａと同伴者の画像６４ｂとが画面６１に表示される。この場合、図７（ｂ）の画面６１において、同伴者がいる旨のメッセージを追加してもよい。
【００４０】
このようにして、本実施形態によれば、同伴者の有無を判定し、その判定結果に応じて同伴者の画像を携帯電話機６へ送信するようにしたので、携帯電話機６の画面６１に表示される画像により、本人に同伴する同伴者が誰であるのかを容易に確認することができる。また、本実施形態では、同伴者がいると判定され、かつ、今回の乗降パターンが通常パターンと相違すると判定された場合に、同伴者の画像を送信するようにしたので、通行者が途中下車や乗り越しをするなど普段と異なる行動をしたときに限り同伴者が誰であるのかを確認したい、という要求に応えることができる。
【００４１】
本発明では、以上述べた実施形態以外にも、以下のような種々の実施形態を採用することができる。
【００４２】
図１においては、１つの通路（例えば通路Ｇ１）に対して１台のカメラ（例えばカメラ２１）を設けたが、複数の通路に対して１台のカメラを設けて、カメラを共用するようにしてもよい。
【００４３】
図２においては、通行情報や通行者の画像を携帯電話機６に送信するようにしたが、携帯電話機６に代えて、パーソナルコンピュータやＰＤＡ（携帯情報端末）などの端末機器に通行情報等を送信するようにしてもよい。また、送信方法としては、電子メール以外にファクシミリ等による送信であってもよい。
【００４４】
図３においては、乗車媒体として非接触ＩＣカードからなる定期券１０を例に挙げたが、定期券１０は磁気カードから構成されるものであってもよい。また、乗車媒体は定期券に限らず、ＩＤにより管理可能な乗車媒体であれば、例えばプリペイドカード等であってもよい。
【００４５】
図１１においては、同伴者有無判定（ステップＳ２６）の後に乗降パターン判定（ステップＳ２８）を行ったが、乗降パターン判定（ステップＳ２８）を同伴者有無判定（ステップＳ２６）の前に行ってもよい。また、ステップＳ２８を省略して、同伴者がある場合は、無条件に同伴者の画像を抽出して送信するようにしてもよい。
【図面の簡単な説明】
【００４６】
【図１】本発明の実施形態による自動改札システムで用いられる自動改札機とカメラの外観図である。
【図２】自動改札システムの全体構成図である。
【図３】自動改札機の電気的構成を示したブロック図である。
【図４】電鉄サーバの電気的構成を示したブロック図である。
【図５】定期券情報記憶部の記憶内容を示す図である。
【図６】利用履歴記憶部の記憶内容を示す図である。
【図７】携帯電話機の画面に表示される通行情報のメッセージの例である。
【図８】携帯電話機の画面に表示される通行者の画像の例である。
【図９】自動改札機での処理手順を表したフローチャートである。
【図１０】電鉄サーバでの処理手順を表したフローチャートである。
【図１１】本発明の他の実施形態による電鉄サーバでの処理手順を表したフローチャートである。
【図１２】他の実施形態における乗降パターンの例である。
【図１３】他の実施形態における通行者および同伴者の画像の例である。
【符号の説明】
【００４７】
１    自動改札機
２    カメラ
４    電鉄サーバ
６    携帯電話機
１０  定期券
１１  制御部
１２  無線通信部
４１  制御部
４３  電子メール送信部
４４  定期券情報記憶部
４５  利用履歴記憶部
６１  画面
６２  通行情報のメッセージ
６４，６４ａ  通行者の画像
６４ｂ  同伴者の画像  
【図１】
2008123392.tif 000003
【図２】
2008123392.tif 000004
【図３】
2008123392.tif 000005
【図４】
2008123392.tif 000006
【図５】
2008123392.tif 000007
【図６】
2008123392.tif 000008
【図７】
2008123392.tif 000009
【図８】
2008123392.tif 000010
【図９】
2008123392.tif 000011
【図１０】
2008123392.tif 000012
【図１１】
2008123392.tif 000013
【図１２】
2008123392.tif 000014
【図１３】
2008123392.tif 000015